(57)【要約】【課題】  呼び出しを受けて看護師が応答できなかった患者の呼出操作時の状態を、後から映像で確認できる。【解決手段】  個々の患者を撮像するカメラ６を有し、ナースコール親機３及び携帯端末４は、カメラ６の撮像映像を表示する表示部３ｂ，ディスプレイ４ａを具備し、制御機５はナースコール子機１による呼び出しの履歴を記憶する呼出履歴記憶部５５と、カメラ６の撮像映像を保存する映像記憶部５６と、ナースコール子機１とカメラ６との関連付けを記憶するカメラ情報記憶部５３と、カメラ撮像映像を制御する制御機ＣＰＵ５７とを備え、制御機ＣＰＵ５７はナースコール子機１による呼び出しが発生したら、ナースコール子機１に関連付けられているカメラ６の撮像映像を入手してナースコール親機３及び携帯端末６に送信し、応答が成されなかった撮像映像を呼出履歴に関連付けて映像記憶部５６に保存する。【選択図】  図１
2014127753.tif 000002
【特許請求の範囲】
【請求項１】
ベッド毎に設置されて患者が看護師を呼び出して通話するためのナースコール子機と、ナースステーションに設置されて前記ナースコール子機からの呼び出しに応答するためのナースコール親機と、看護師が携行して前記ナースコール子機からの呼び出しに応答するための携帯端末と、前記ナースコール子機、前記ナースコール親機、前記携帯端末の間の通信を制御する制御機とを有するナースコールシステムにおいて、
個々の患者を撮像するカメラを備えると共に、前記ナースコール親機及び前記携帯端末は、前記カメラの撮像映像を表示する表示部をそれぞれ具備し、
ナースコール子機による呼び出しの履歴を登録する呼出履歴記憶部と、カメラ撮像映像を保存する映像記憶部と、ナースコール子機と前記カメラとの関係を記憶するカメラ情報記憶部と、カメラ撮像映像を制御する映像制御部とを前記ナースコール親機、前記制御機の何れか一方に設け、
前記映像制御部は、前記ナースコール子機による呼び出しが発生したら、前記カメラ情報記憶部を参照して当該ナースコール子機に関連付けられているカメラから撮像映像を入手し、前記ナースコール親機及び前記携帯端末に入手した撮像映像を送信すると共に、前記入手した撮像映像のうち前記呼出履歴記憶部に少なくとも未応答として登録された呼出履歴に関連付けられたカメラ撮像映像を、呼出履歴に関連付けて前記映像記憶部に保存することを特徴とするナースコールシステム。
【請求項２】
看護師と患者との関係を記憶する担当看護師テーブル記憶部、患者と前記ナースコール子機との関係を記憶する患者位置記憶部を前記ナースコール親機、前記制御機の何れか一方に設け、
前記映像制御部は、呼出元のナースコール子機に関連付けられている看護師を、前記担当看護師テーブル記憶部及び前記患者位置記憶部から特定し、特定した担当看護師が応答しなかった呼び出しに対して、関連付けられているカメラ撮像映像を呼出履歴に関連付けて前記映像記憶部に保存することを特徴とする請求項１記載のナースコールシステム。
【請求項３】
前記カメラが、一定時間遡った時点から現在までの映像を記憶する特定映像記憶部を備え、
前記映像制御部が前記映像記憶部に保存する映像は、呼出操作時から所定の時間の映像に加えて、前記特定映像記憶部が記憶する呼出時から一定時間遡った時点から呼出操作時までの映像を含むことを特徴とする請求項１又は２記載のナースコールシステム。
【請求項４】
前記ナースコール親機は、前記呼出履歴記憶部に保存されている呼出履歴を前記表示部に表示した状態で、任意の呼出履歴に対して所定の映像表示操作が成されると、映像表示制御を実施する映像表示制御部を有し、
前記映像表示制御部は、表示操作を受けた履歴に関連付けられたカメラ撮像映像が前記映像記憶部に保存されている場合は、該当する映像を入手して前記表示部に表示することを特徴とする請求項１乃至３の何れかに記載のナースコールシステム。
【請求項５】
前記携帯端末と前記看護師との関係を記憶する携帯端末テーブル記憶部と、前記携帯端末からの呼出履歴閲覧要求を受けて、呼出履歴情報を送信する履歴送信制御部とを前記ナースコール親機、前記制御機の何れか一方に設け、
前記履歴送信制御部は、前記携帯端末テーブル記憶部、前記担当看護師テーブル記憶部、前記患者位置記憶部の情報を基に、閲覧要求元の携帯端末に関連付けられている患者に関する呼出履歴を選択して返信し、
前記携帯端末は、呼出履歴を前記表示部に表示した状態で任意の呼出履歴に対して所定の映像表示操作が成されると、映像表示制御を実施する映像表示制御部を有し、
前記映像表示制御部は、表示操作を受けた履歴に関連付けられたカメラ撮像映像が前記映像記憶部に保存されている場合は、該当する映像を入手して前記表示部に表示することを特徴とする請求項１乃至４の何れかに記載のナースコールシステム。
【発明の詳細な説明】
【技術分野】
【０００１】
本発明はナースコールシステムに関し、特に患者を撮像するカメラを備えて、ナースコール子機からの呼び出しを受けて患者を映像で確認しながら応答できるナースコールシステムに関する。
【背景技術】
【０００２】
従来より、ナースコール子機による呼出操作に連動して患者を撮像するカメラを起動し、ナースコール親機において患者の撮像映像を見ながら呼び出しに応答することができるシステムがある（例えば、特許文献１参照）。
このような構成とすることで、看護師は患者の様子を確認しながら呼び出しに応答できるため、患者の元まで出かけることなく患者の状態を把握でき、看護業務に役立てることができたし、看護師の負担を軽減できた。
【先行技術文献】
【特許文献】
【０００３】
【特許文献１】特開２００５−１５１５４０号公報
【発明の概要】
【発明が解決しようとする課題】
【０００４】
しかしながら、上述したように応答時に患者の様子を確認できるナースコールシステムであっても、呼び出しを受けたにもかかわらず応答できなかった患者に対しては、後からその時の患者の状態を確認する手段がなく、患者がどのような状態で呼び出しをしたか知ることができなかった。
【０００５】
そこで、本発明はこのような問題点に鑑み、呼び出しを受けて看護師が応答できなかった患者に対して、呼出操作した際の状態がどのようであったか後から映像で確認することが可能なナースコールシステムを提供することを目的としている。
【課題を解決するための手段】
【０００６】
上記課題を解決する為に、請求項１の発明は、ベッド毎に設置されて患者が看護師を呼び出して通話するためのナースコール子機と、ナースステーションに設置されてナースコール子機からの呼び出しに応答するためのナースコール親機と、看護師が携行してナースコール子機からの呼び出しに応答するための携帯端末と、ナースコール子機、ナースコール親機、携帯端末の間の通信を制御する制御機とを有するナースコールシステムにおいて、個々の患者を撮像するカメラを備えると共に、ナースコール親機及び携帯端末は、カメラの撮像映像を表示する表示部をそれぞれ具備し、ナースコール子機による呼び出しの履歴を登録する呼出履歴記憶部と、カメラ撮像映像を保存する映像記憶部と、ナースコール子機とカメラとの関係を記憶するカメラ情報記憶部と、カメラ撮像映像を制御する映像制御部とをナースコール親機、制御機の何れか一方に設け、映像制御部は、ナースコール子機による呼び出しが発生したら、カメラ情報記憶部を参照して当該ナースコール子機に関連付けられているカメラから撮像映像を入手し、ナースコール親機及び携帯端末に入手した撮像映像を送信すると共に、入手した撮像映像のうち呼出履歴記憶部に少なくとも未応答として登録された呼出履歴に関連付けられたカメラ撮像映像を、呼出履歴に関連付けて映像記憶部に保存することを特徴とする。
この構成によれば、呼び出しを受けたにも関わらず看護師が応答できなかった患者に関しては、呼出時の患者を撮像した映像が、登録された呼出履歴に関連付けられて保存されるため、後から保存映像を取り出して呼出時の患者がどのようであったか確認することが可能であり、患者の看護に役立てることができる。
【０００７】
請求項２の発明は、請求項１に記載の構成において、看護師と患者との関係を記憶する担当看護師テーブル記憶部、患者とナースコール子機との関係を記憶する患者位置記憶部をナースコール親機、制御機の何れか一方に設け、映像制御部は、呼出元のナースコール子機に関連付けられている看護師を、担当看護師テーブル記憶部及び患者位置記憶部から特定し、特定した担当看護師が応答しなかった呼び出しに対して、関連付けられているカメラ撮像映像を呼出履歴に関連付けて映像記憶部に保存することを特徴とする。
この構成によれば、誰も応答しなかった患者の映像に加えて、担当でない看護師が応答した場合も患者の映像が保存されるため、応答した患者であっても担当看護師が応答していない場合は後から映像で患者の状態を確認することができる。そのため、看護師は自身が担当する患者の状態を把握でき、看護に役立つ。
【０００８】
請求項３の発明は、請求項１又は２に記載の構成において、カメラが、一定時間遡った時点から現在までの映像を記憶する特定映像記憶部を備え、映像制御部が映像記憶部に保存する映像は、呼出操作時から所定の時間の映像に加えて、特定映像記憶部が記憶する呼出時から一定時間遡った時点から呼出操作時までの映像を含むことを特徴とする。
この構成によれば、呼出操作した後の映像だけでなく、呼出操作する前からの映像も見ることができる。よって、より詳しい患者の状態を把握することができる。
【０００９】
請求項４の発明は、請求項１乃至３の何れかに記載の構成において、ナースコール親機は、呼出履歴記憶部に保存されている呼出履歴を表示部に表示した状態で、任意の呼出履歴に対して所定の映像表示操作が成されると、映像表示制御を実施する映像表示制御部を有し、映像表示制御部は、表示操作を受けた履歴に関連付けられたカメラ撮像映像が映像記憶部に保存されている場合は、該当する映像を入手して表示部に表示することを特徴とする。
この構成によれば、ナースコール親機で呼出履歴を閲覧中に未応答の履歴等患者の状態を確認したい履歴がある場合は、所定の映像表示操作により呼出時の患者の映像を表示させることができ、看護師は呼出履歴を閲覧しながら簡易な操作で呼出時の患者の状態を把握できる。
【００１０】
請求項５の発明は、請求項１乃至４の何れかに記載の構成において、携帯端末と看護師との関係を記憶する携帯端末テーブル記憶部と、携帯端末からの呼出履歴閲覧要求を受けて、呼出履歴情報を送信する履歴送信制御部とをナースコール親機、制御機の何れか一方に設け、履歴送信制御部は、携帯端末テーブル記憶部、担当看護師テーブル記憶部、患者位置記憶部の情報を基に、閲覧要求元の看護師に関連付けられている患者に関する呼出履歴を選択して返信し、携帯端末は、呼出履歴を表示部に表示した状態で任意の呼出履歴に対して所定の映像表示操作が成されると、映像表示制御を実施する映像表示制御部を有し、映像表示制御部は、表示操作を受けた履歴に関連付けられたカメラ撮像映像が映像記憶部に保存されている場合は、該当する映像を入手して表示部に表示することを特徴とする。
この構成によれば、携帯端末で呼出履歴を閲覧中に未応答の履歴等患者の状態を確認したい履歴がある場合は、所定の映像表示操作により、呼出時の患者の映像を表示させることができ、看護師は呼出履歴を閲覧しながら簡易な操作で患者の呼出時の状態を把握できる。
また、携帯端末に表示される呼出履歴は、閲覧要求元の看護師に関連付けられている患者に関する履歴、即ち看護師が担当している患者の履歴のみが選択されて表示されるため、看護師は担当患者の履歴や映像をスムーズに把握できる。
【発明の効果】
【００１１】
本発明によれば、呼び出しを受けたにも関わらず看護師が応答できなかった患者に関しては、呼出時の患者を撮像した映像が登録された呼出履歴に関連付けられて保存されるため、後から保存映像を取り出して呼出時の患者がどのようであったか確認することが可能であり、患者の看護に役立てることができる。
【図面の簡単な説明】
【００１２】
【図１】本発明に係るナースコールシステムの一例を示す構成図である。
【図２】廊下灯の回路ブロック図である。
【図３】ナースコール親機の回路ブロック図である。
【図４】制御機の回路ブロック図である。
【図５】カメラの回路ブロック図である。
【図６】呼出履歴の表示例を示す説明図である。
【図７】保存された映像を表示した様子を示す説明図である。
【発明を実施するための形態】
【００１３】
以下、本発明を具体化した実施の形態を、図面を参照して詳細に説明する。図１は本発明に係るナースコールシステムの一例を示す構成図であり、１はベッド毎に設置されて患者が看護師を呼び出して通話するためのナースコール子機、２は各病室の出入口に設置されて患者からの呼出発生を報知する表示灯２ａと患者名表示部２ｂとを備えた廊下灯、３はナースステーションに設置されて患者からの呼び出しを報知し、呼び出しに応答するためのナースコール親機、４は看護師が携行して患者からの呼び出しに応答するための携帯端末、５はナースコール子機１とナースコール親機３と携帯端末４の間の通信を制御する制御機、６はベッド毎に設置されて患者を撮像するカメラ、７は基地局８を介して携帯端末４の通信を管理する交換機である。
【００１４】
廊下灯２、ナースコール親機３、制御機５、カメラ６等はそれぞれＨＵＢ１０を介してＬＡＮ接続され、ナースコール子機１は病室毎に廊下灯２に伝送線Ｌ１を介して接続され、交換機７は伝送線Ｌ２を介して制御機５に接続されている。
【００１５】
ナースコール子機１は、呼出ボタン１ａと壁面に設置されたプレート子機１ｂを有し、プレート子機１ｂは呼出ボタン１ａの接続部及び患者が看護師と通話するための通話部を備えている。
【００１６】
図２は廊下灯２の回路ブロック図を示している。図２に示すように、廊下灯２は表示灯２ａ、患者名表示部２ｂに加えて、患者名表示部２ｂに表示する患者情報やナースコール子機番号等を記憶する設定情報記憶部２２、ナースコール子機１とナースコール親機３、及びナースコール子機１と制御機５の間の通信を管理すると共に廊下灯２を制御する廊下灯ＣＰＵ２３、他のナースコール機器とＨＵＢ１０を介してＬＡＮ接続するための第１通信ＩＦ２４、ナースコール子機１と通信する第２通信ＩＦ２５等を備えている。
尚、表示灯２ａは、例えばＬＥＤ等の発光素子で構成され、患者名表示部２ｂは例えば液晶ディスプレイで構成されている。
【００１７】
ナースコール親機３は、患者と通話したり放送するためのハンドセットや報音部を備えた通話部３ａ、各種情報を表示する表示部３ｂ、個々の患者の患者情報表示部Ｍが一覧表示されたボード部３ｃ等を有している。
図３はナースコール親機３の主要部の回路ブロック図を示している。図３に示すように、表示部３ｂに表示する画像或いは映像を制御する映像処理部３２、表示部３ｂに組み付けられた操作部としてのタッチパネル３３、ナースコール親機３全体を制御する親機ＣＰＵ３５、通話部３ａで報音する或いは通話部３ａから入力される音声信号を処理する音声処理部３６、ボード部３ｃに設けられて呼出元を発光して通知する通知灯３７、他のナースコール機器とＬＡＮ接続するための通信ＩＦ３８等を備えている。
【００１８】
図４は、制御機５の回路ブロック図を示している。制御機５は図４に示すように、携帯端末４と看護師の対応関係を記憶する携帯端末テーブル記憶部５１、看護師と患者の対応関係を記憶する担当看護師テーブル記憶部５２、ナースコール子機１とカメラ６との対応関係を記憶するカメラ情報記憶部５３、患者の担当医師や救護区分等の患者情報に加えて患者とナースコール子機の関連付けを記憶する患者情報記憶部５４、呼出履歴を記憶する呼出履歴記憶部５５、カメラ６の撮像映像を保存する映像記憶部５６、機器間の通信を制御すると共に制御機５を制御する制御機ＣＰＵ５７、他のナースコール機器とＬＡＮ接続する通信ＩＦ５８等を備えている。
【００１９】
図５はカメラ６の回路ブロック図を示している。カメラ６は、図５に示すように、撮像部６１、映像記憶部６２、カメラを制御するカメラＣＰＵ６３、他の機器とＬＡＮ接続する通信ＩＦ６４等を備えている。カメラＣＰＵ６３は、常時映像を保存する制御を実施し、映像記憶部６２には一定時間遡った時点から現在までの映像が常時書き換えられて保存されている。尚、カメラ６は、例えばＩＰカメラを適用することができる。
【００２０】
また携帯端末４は、タッチパネル４ｂが組み付けられたディスプレイ４ａを有し、呼出履歴を表示させた状態で、任意の履歴をタッチ操作するとタッチした履歴に関連付けられた映像が制御機５に保存されている場合は、その映像を表示させるアプリケーションソフトウェアがインストールされ、この結果呼出履歴から映像を表示させる映像表示制御部４１を備えた構成となっている。尚、携帯端末４は、スマートフォンを適用することができる。
【００２１】
上記の如く構成されたナースコールシステムの動作は以下のようである。ナースコール子機１の呼出ボタン１ａが操作されて呼び出しが成されると、ナースコール子機１から廊下灯２へ呼出信号が送信される。呼出信号を受けた廊下灯２は、設定情報記憶部２２から読み取った病室番号及びベッド番号（子機番号）を附加して制御機５に送信する。また、表示灯２ａが点灯し、患者名表示部２ｂに呼出元の患者名が表示される。
この呼出信号を受信した制御機５は、制御機ＣＰＵ５７が呼出信号から病室番号及びベッド番号を読み取って、カメラ情報記憶部５３から関連付けられているカメラ６を選択して撮像映像を入手し、呼出信号と共に映像情報をナースコール親機３に送信する。
【００２２】
呼出信号及び映像情報を受信したナースコール親機３は、親機ＣＰＵ３５の制御により呼出音が報音通知されると共に、呼出信号に附加されたナースコール子機情報を元に患者情報記憶部５４から呼出元の患者情報が読み取られて表示部３ｂに患者情報が表示される。更に、ボード部３ｃの対応する通知灯３７が点灯し、受信した映像が表示部３ｂに表示される。
【００２３】
また制御機ＣＰＵ５７は、携帯端末テーブル記憶部５１、担当看護師テーブル記憶部５２、患者情報記憶部５４を参照して、呼出元情報に関連する携帯端末４を選択し、選択した携帯端末４、即ち担当看護師が携行する携帯端末４に対して呼出元の患者情報を送信して呼出発生の通知を行い、同時に映像情報の送信を開始する。
この通知及び映像は交換機７、基地局８を介して携帯端末４に送信され、受信した携帯端末４では、呼出音が鳴動すると共にディスプレイ４ａに患者情報及び患者映像が表示される。
【００２４】
呼び出しを受けたナースコール親機３において、通話部３ａのハンドセット等で応答すると、制御機５がナースコール親機３とナースコール子機１の間の通話路を形成して通話が可能となり、看護師は患者を撮像した映像を見ながら患者と通話ができる。
また、携帯端末４で応答した場合、制御機５が携帯端末４とナースコール子機１との間の通話路を形成して通話が可能となり、看護師は呼出時に患者の状態を映像で確認してから通話に入ることができる。
そして、こうして成された呼び出し及び応答した情報は、制御機ＣＰＵ５７の制御で制御機５の呼出履歴記憶部５５に記録される。
【００２５】
次に、呼び出しが行われたにも関わらず応答しなかった場合の動作を説明する。ナースコール親機３での呼出動作は、一定時間（例えば６０秒）が経過すると終了し、待受状態に戻る。また、携帯端末４に対する呼び出しの通知動作は、最初に担当看護師が携行する携帯端末４に対して所定時間（例えば１０秒）実施し、その後他の看護師の携帯端末４を含めて呼出の通知先が実施され通知先が拡大されるが、いずれにしても一定時間（例えば、ナースコール親機３の場合と同様に６０秒）が経過すると待受状態に戻る。
こうして、誰も応答することなく一定時間が経過すると、呼び出し動作は終了して、呼出履歴記憶部５５に未応答として記録される。同時に、呼出信号と共に送信されてナースコール親機３及び携帯端末４で表示された映像は、記録した呼出履歴に関連付けられて映像記憶部５６に保存される。
【００２６】
この映像の保存は以下の様に実施される。制御機ＣＰＵ５７は、呼び出しの発生に合わせて、呼出元に関連付けられている（呼出元の患者を撮像する）カメラ６の撮像映像を入手して呼出先に送信するが、同時に図示しない一次記憶部への映像の保存を行い、誰も応答しなかった場合、また担当看護師以外の看護師が携帯端末４で応答した場合、更にナースコール親機３で応答して応答者が不明な場合、一次記憶部に保存された映像を履歴に紐付けして（関連付けて）映像記憶部５６に移して保存する。
また、このときカメラ６の映像記憶部６２が保存している呼出操作する一定時間前からの録画映像も合わせて記憶され、映像記憶部６２にはこの呼出操作する一定時間前から呼出操作してから所定時間後までの映像が保存される。
【００２７】
こうして応答できなかった呼び出し、及び担当看護師以外の看護師が応答した時の患者の映像は、後から呼出履歴情報を基に確認でき、看護師は担当する患者の看護状況を把握するのに役立てることができる。
具体的に、まず呼出履歴を閲覧するために取り出す。呼出履歴は、ナースコール親機３或いは携帯端末４の所定の操作で入手して表示部３ｂ或いはディスプレイ４ａに表示させることができる。ナースコール親機３での閲覧は、タッチパネル３３の所定の閲覧操作により呼出履歴閲覧信号が制御機５に送信され、この信号を受けた制御機ＣＰＵ５７が呼出履歴記憶部５５に記録されている履歴情報をナースコール親機３に送信する。送信された履歴情報は表示部３ｂに表示される。
【００２８】
図６は表示部３ｂに表示された呼出履歴の一覧を示している。呼出履歴記憶部５５には、呼び出し日時、応答時刻（応答の有無）、呼出種別、ベッド番号、患者名、応答した看護師名（応答者名）等が記憶されており、更に映像有無の欄Ｍが設けられ、これらが一覧表示される。この履歴は操作ボタンＢのタッチ操作でページが切り替わって表示される。
【００２９】
尚、映像有無の欄Ｍは、ここでは履歴Ｃ１以外の履歴Ｃ２〜Ｃ４には映像が関連付けられて保存されていることを示している。Ｃ１の履歴は担当看護師が応答したため映像の保存が無く、Ｃ２の履歴は未応答であるため映像が保存され、Ｃ３の履歴は担当看護師ではない看護師が応答したため映像が保存され、Ｃ４の履歴はナースステーション（ＮＳ）即ちナースコール親機３で応答したことで、応答者が不明であるため映像が保存されている。
【００３０】
このうち、例えばＣ２の履歴をタッチ操作（タッチパネル３３を操作）すると、親機ＣＰＵ３５の制御によりナースコール親機３から制御機５に映像要求が成されて、制御機ＣＰＵ５７がＣ２欄に関連付けられている映像を映像記憶部５６から取り出して送信する。ナースコール親機３は、この映像を受信して表示部３ｂに表示させる。図７は、こうして呼出操作時の患者映像Ｐが表示部３ｂに表示された様子を示している。同様に、Ｃ３，Ｃ４の履歴をタッチすれば、関連する映像が表示される。
【００３１】
一方、携帯端末４により呼出履歴を閲覧する場合は、同様に所定の呼出履歴表示操作を実施する。この操作で、携帯端末４から呼出履歴閲覧信号が制御機５に送信され、これを受けて制御機ＣＰＵ５７が呼出履歴を返信する。こうして、ナースコール親機３の場合と同様に上記図６に示すような履歴情報がディスプレイ４ａに表示される。
【００３２】
但し、携帯端末４に表示される履歴は、携帯端末４に関連付けられている情報、即ち看護師が担当している患者に関する呼出履歴が表示される。具体的に、携帯端末４から送信された呼出履歴閲覧信号を受信した制御機ＣＰＵ５７は、この信号に含まれる携帯端末ＩＤから、携帯端末テーブル記憶部５１、担当看護師テーブル記憶部５２、患者情報記憶部５４を参照して、看護師を特定すると共に看護師が担当している患者を把握する。
そして、閲覧要求元の看護師に関連付けられている患者の呼出履歴、即ち看護師が担当している患者からの呼出履歴を選択して、携帯端末４に送信する。こうして呼出履歴を受信した携帯端末４は、ディスプレイ４ａに呼出履歴を表示する。
【００３３】
この表示から未応答となっている履歴、或いは他の看護師が応答した履歴を確認でき、この履歴の中で呼出時の患者映像を確認したい場合は、履歴をタッチ操作すると、患者映像を見ることができる。具体的に、履歴をタッチ操作（タッチパネル３３を操作）すると、親機ＣＰＵ３５の制御によりナースコール親機３から制御機５に映像要求が成される。この要求を受けて、制御機ＣＰＵ５７はタッチした履歴に関連付けられている映像が映像記憶部５６にあれば、取り出して返信する。携帯端末４は、受信した映像をディスプレイ４ａに表示する。
【００３４】
このように、呼び出しを受けたにも関わらず看護師が応答できなかった患者に関しては、呼出時の患者を撮像した映像が、登録された呼出履歴に関連付けられて保存されるため、後から保存映像を取り出して呼出時の患者がどのようであったか確認することが可能であり、患者の看護に役立てることができる。
また、担当でない看護師が応答した場合も患者の映像が保存されるため、応答した患者であっても担当看護師が応答していない場合は後から映像で患者の状態を確認することができる。そのため、看護師は自身が担当する患者の状態を把握でき、看護に役立つ。
更に、呼出操作した後の映像だけでなく、呼出操作する前からの映像も見ることができるため、より詳しい患者の状態を把握することができる。
また、ナースコール親機３で呼出履歴を閲覧中に未応答の履歴等がある場合は、所定の映像表示操作により呼出時の患者の映像を表示させることができるので、看護師は呼出履歴を閲覧しながら簡易な操作で呼出時の患者の状態を把握できる。
また、携帯端末４で呼出履歴を閲覧中に未応答の履歴等患者の状態を確認したい履歴がある場合は、所定の映像表示操作により、呼出時の患者の映像を表示させることができ、看護師は呼出履歴を閲覧しながら簡易な操作で患者の呼出時の状態を把握できる。そして、携帯端末４に表示される呼出履歴は、閲覧要求元の看護師に関連付けられている患者に関する履歴、即ち看護師が担当している患者の履歴のみが選択されて表示されるため、看護師は担当患者の履歴や映像をスムーズに把握できる。
【００３５】
尚、上記実施形態では、携帯端末テーブル記憶部５１、担当看護師テーブル記憶部５２、カメラ情報記憶部５３、患者情報記憶部５４、呼出履歴記憶部５５、映像記憶部５６を制御機５に設けているが、それら記憶部の一部、或いは全てをナースコール親機３に移動して設けても良い。
また、タッチパネル操作で、履歴をタッチすれば関連する患者映像が表示される構成としているが、履歴を選択して映像を表示させるボタンを別途設けても良い。
また、映像記憶部５６に保存する患者映像は、呼出操作してからの映像のみであっても良い。
【符号の説明】
【００３６】
１・・ナースコール子機、３・・ナースコール親機、３ｂ・・表示部、４・・携帯端末、４ａ・・ディスプレイ（表示部）、５・・制御機、６・・カメラ、３３・・タッチパネル、３５・・親機ＣＰＵ（映像表示制御部）、４１・・映像表示制御部、５１・・携帯端末テーブル記憶部、５２・・担当看護師テーブル記憶部、５３・・カメラ情報記憶部、５４・・患者情報記憶部（患者位置記憶部）、５５・・呼出履歴記憶部、５６・・映像記憶部、５７・・制御機ＣＰＵ（映像制御部、履歴送信制御部）、６２・・映像記憶部（特定映像記憶部）。
【図１】
2014127753.tif 000003
【図２】
2014127753.tif 000004
【図３】
2014127753.tif 000005
【図４】
2014127753.tif 000006
【図５】
2014127753.tif 000007
【図６】
2014127753.tif 000008
【図７】
2014127753.tif 000009